(57)【要約】【課題】フレキシブル回路基板の折り返し部分の幅方向両端部が外側方に膨出することを防止した表示装置を提供する。【解決手段】液晶表示パネル１０と、液晶表示パネルの背面側に配置されたバックライトユニット１２と、液晶表示パネルの端子部に接続され、かつ折り返された部分がバックライトユニットの背面側に配置されたフレキシブル回路基板１４とを具備する表示装置において、バックライトユニットのユニットケース２６の外側面にスリット形成片６０を形成し、ユニットケースの外側面とスリット形成片との間のスリットにフレキシブル回路基板の幅方向両端部を挿入する。【選択図】図１
2008009243.tif 000002
【特許請求の範囲】
【請求項１】
表示パネルと、前記表示パネルの背面側に配置されたユニットケースと、前記表示パネルの端子部に接続され、かつ折り返された部分が前記ユニットケースの背面側に配置されたフレキシブル回路基板とを具備する表示装置において、前記ユニットケースの外側面にスリット形成片が設けられ、前記ユニットケースの外側面と前記スリット形成片との間にスリットが形成されているとともに、前記スリットに前記フレキシブル回路基板の幅方向両端部が挿入されていることを特徴とする表示装置。
【請求項２】
前記ユニットケースの外側面に線状の切り欠きが設けられ、前記切り欠きの内側に前記スリット形成片が形成されている請求項１に記載の表示装置。
【請求項３】
前記スリット形成片は、前記ユニットケースの外側面から垂直に延びる垂直板部と、前記垂直板部の先端から前記外側面に水平に延びる水平板部とからなる請求項１に記載の表示装置。
【発明の詳細な説明】
【技術分野】
【０００１】
本発明は、表示パネル、バックライトユニットなどのユニットケースおよびフレキシブル回路基板を備えた表示装置に関し、さらに詳述すると、ユニットケースの背面側に表示パネルの端子部に接続されるフレキシブル回路基板が配置された表示装置に関する。
【背景技術】
【０００２】
従来、表示装置として、例えば図５、図６に示すように、半透過型あるいは透過型の液晶表示パネル１０と、液晶表示パネル１０の背面側に配置されたバックライトユニット１２と、バックライトユニト１２の背面側に配置されたフレキシブル回路基板１４とを具備するものが知られている（例えば、特許文献１参照）。
【０００３】
液晶表示パネル１０は、一対の透明電極基板１６、１８が対向配置され、これら透明電極基板１６、１８の対向面の周縁部にシール材（図示せず）が配設され、このシール材で囲まれた内側に液晶（図示せず）が封入されている。一方の透明電極基板１６には、他方の透明電極基板１８よりも側方に張り出した張出部２０が連設されており、この張出部２０には電極端子部２２が形成され、電極端子部２２には液晶駆動用のＬＳＩチップ２４が実装されている。
【０００４】
バックライトユニット１２は、液晶表示パネル１０と対向する面が開口されたユニットケース２６と、ユニットケース２６内に収納された導光板２８と、導光板２８の光入射面３０と対向する位置に配置されたＬＥＤ等からなる発光素子３２とを有している。導光板２８の光出射面３４には、拡散シートや輝度上昇フィルム（共に図示せず）等の光学フィルムが配設されている。また、ユニットケース２６は、いずれも金属製の上ケースと下ケースとからなるものである。
【０００５】
フレキシブル回路基板１４は、図示しないが、ポリイミド等の可撓性を有する絶縁性樹脂からなるフィルム基板の一方の面に、所定のパターンに形成された銅箔等からなる導体が形成されており、この導体の両端部を除く表面には絶縁性樹脂からなるカバーフィルムが被覆されている。また、フレキシブル回路基板１４の両端部において露出した導体上には電極端子部が形成され、一方の端子部３６は液晶表示パネル１０の電極端子部２２に接続されているとともに、他方の端子部（図示せず）は制御回路基板（図示せず）に接続されている。フレキシブル回路基板１４とバックライトユニット１２のユニットケース２６とは、例えば両面粘着テープ３８により接着されている。
【０００６】
上述した液晶表示パネル１０、バックライトユニット１２およびフレキシブル回路基板１４はメタルホルダ（図示せず）に組み込まれ、さらに図６に示すように、下側ケース４０と上側カバー４２とからなる外装ケース内に配置される。
【０００７】
【特許文献１】特開２００２−２５８３１７号公報
【発明の開示】
【発明が解決しようとする課題】
【０００８】
前述した液晶表示装置では、フレキシブル回路基板１４の一方の端子部３６を液晶表示パネル１０の電極端子部２２に接続するとともに、フレキシブル回路基板１４をユニットケース２６の外側面に沿って折り返し、この折り返した部分をユニットケース２６の背面側に配置している。したがって、図５、図６に示すように、ユニットケース２６の外側面において、フレキシブル回路基板１４の折り返し部分４４が湾曲し、外側方に膨出する。
【０００９】
そのため、前述した液晶表示装置では、液晶表示パネル１０、バックライトユニット１２およびフレキシブル回路基板１４からなる内部部品をメタルホルダに組み込んだり、外装ケース内に配置したりするときに、フレキシブル回路基板１４の外側方に膨出した折り返し部分４４の幅方向端部がメタルホルダや外装ケースに接触して破損するおそれがあった。また、液晶表示パネル１０、バックライトユニット１２およびフレキシブル回路基板１４からなる内部部品を外装ケース内に配置して製品とした後、振動などによって上記内部部品が製品内で動き、フレキシブル回路基板１４の外側方に膨出した折り返し部分４４の幅方向端部がメタルホルダや外装ケースに接触して破損するおそれがあった。
【００１０】
本発明は、前述した事情に鑑みてなされたもので、表示パネル、ユニットケースおよびフレキシブル回路基板を備えた表示装置であって、フレキシブル回路基板の折り返し部分の幅方向両端部が外側方に膨出することを防止した表示装置を提供することを目的とする。
【課題を解決するための手段】
【００１１】
本発明は、前述の目的を達成するため、表示パネルと、前記表示パネルの背面側に配置されたユニットケースと、前記表示パネルの端子部に接続され、かつ折り返された部分が前記ユニットケースの背面側に配置されたフレキシブル回路基板とを具備する表示装置において、前記ユニットケースの外側面にスリット形成片が設けられ、前記ユニットケースの外側面と前記スリット形成片との間にスリットが形成されているとともに、前記スリットに前記フレキシブル回路基板の幅方向両端部が挿入されていることを特徴とする表示装置を提供する。
【００１２】
本発明においては、ユニットケースの外側面とスリット形成片との間のスリットにフレキシブル回路基板の折り返し部分の幅方向両端部を挿入するので、上記折り返し部分の幅方向両端部がスリット形成片により押さえられ、上記折り返し部分の幅方向両端部が外側方に膨出することが防止される。その結果、液晶表示パネル、バックライトユニットおよびフレキシブル回路基板からなる内部部品をメタルホルダに組み込んだり、外装ケース内に配置したりするときに、フレキシブル回路基板の折り返し部分の幅方向端部がメタルホルダや外装ケースに接触して破損することが防止される。また、上記内部部品が振動などによって製品内で動き、フレキシブル回路基板の折り返し部分の幅方向端部がメタルホルダや外装ケースに接触して破損することが防止される。この場合、上記破損を防止するためには、フレキシブル回路基板の折り返し部分の幅方向両端部が外側方に膨出していなければよく、上記折り返し部分の幅方向両端部以外の部分が外側方に膨出していても不都合は生じない。
【００１３】
本発明において、スリット形成片の構成に限定はないが、例えば図３に示すように、ユニットケース２６の外側面に線状の切り欠き５０を設け、この切り欠き５０の内側にスリット形成片５２を形成する構成とすることができる。この場合、切り欠き５０の先端を持ち上げるようにしてユニットケース２６の外側面とスリット形成片５２との間にスリットを形成し、このスリットにフレキシブル回路基板の折り返し部分の幅方向両端部を挿入する。
【００１４】
また、例えば図４に示すように、ユニットケース２６の外側面から垂直に延びる垂直板部５４と、垂直板部５４の先端から外側面に水平に延びる水平板部５６とからスリット形成片５８を構成することができる。この場合、ユニットケース２６の外側面と水平板部５６の内面との間の距離（スリット幅）は、ユニットケース２６の外側面と水平板部５６とでフレキシブル回路基板の折り返し部分の幅方向両端部を挟持できる距離とすればよい。
【００１５】
本発明において、スリット形成片の形状に限定はなく、例えば四角形、三角形、台形、半円形、半楕円形などとすることができる。
【００１６】
また、本発明において、スリット形成片は、ユニットケースの外側面におけるフレキシブル回路基板の幅方向両端部を挿入可能な箇所に少なくとも１つずつ設ければよいが（合計２つ）、上記箇所に２つ以上を並列に設けてもよい。
【発明の効果】
【００１７】
本発明の表示装置によれば、フレキシブル回路基板の折り返し部分の幅方向両端部が外側方に膨出することを防止することができ、表示装置の作製時や作製後にフレキシブル回路基板の折り返し部分の幅方向端部がメタルホルダや外装ケースに接触して破損することを防止することができる。
【発明を実施するための最良の形態】
【００１８】
以下、本発明の実施の形態を図面を参照して説明するが、本発明は下記例に限定されるものではない。図１は本発明に係る表示装置の一実施形態である液晶表示装置を示す一部斜視図である。
【００１９】
本例の液晶表示装置は、図６に示した液晶表示装置において、ユニットケース２６の外側面におけるフレキシブル回路基板１４の幅方向両端部を挿入可能な箇所に一対のスリット形成片６０を設けるとともに（一方のスリット形成片のみ図示）、ユニットケース２６の外側面とスリット形成片６０との間のスリットにフレキシブル回路基板１４の幅方向両端部を挿入することにより、フレキシブル回路基板１４の折り返し部分の幅方向両端部が外側方に膨出することを防止したものである。この場合、本例では、図２に示すように、ユニットケース２６の外側面の下部に横Ｌ字状の線状の切り欠き６２を設け、その内側にスリット形成片６０を形成している。なお、スリット形成片６０の上下幅は１．５〜３ｍｍ程度、長さは１０ｍｍ程度である。上記の点以外は、本例の液晶表示装置は図６に示した液晶表示装置と同様であるため、図１において図６の液晶表示装置と同一の構成部分には同一の参照符号を付してその説明を省略する。
【００２０】
本発明の表示装置は、上述した例に限定されるものではない。例えば、上記例ではスリット形成片をユニットケースの外側面の下部に設けたが、ユニットケースの外側面の上下方向中央部や上部に設けてもよい。また、上記例では、ユニットケースをいずれも金属製の上ケースと下ケースとからなるものとしたが、ユニットケースの材質や構造はこれに限定されるものではない。
【００２１】
さらに、上述の説明では、本発明を液晶表示装置に適用した場合について説明したが、本発明はこれに限られるものではない。例えば、本発明は有機ＥＬ表示装置などの他の表示装置に適用することも可能である。
【図面の簡単な説明】
【００２２】
【図１】本発明に係る表示装置の一実施形態を示す一部斜視図である。
【図２】同表示装置のユニットケースを示す一部斜視図である。
【図３】スリット形成片の一例を示す正面図である。
【図４】スリット形成片の他の例を示す平面図である。
【図５】従来の液晶表示装置の一例を示す一部省略概略図である。
【図６】同液晶表示装置を示す一部斜視図である。
【符号の説明】
【００２３】
１０  液晶表示パネル
１２  バックライトユニット
１４  フレキシブル回路基板
２６  ユニットケース
５０  切り欠き
５２  スリット形成片
５４  垂直板部
５６  水平板部
５８  スリット形成片
６０  スリット形成片
６２  切り欠き
【図１】
2008009243.tif 000003
【図２】
2008009243.tif 000004
【図３】
2008009243.tif 000005
【図４】
2008009243.tif 000006
【図５】
2008009243.tif 000007
【図６】
2008009243.tif 000008